(57)【要約】【課題】組立時に組立順序にとらわれずにハーネスを確実に保護することができ、しかもメンテナンス時において簡単にハーネスを取り外すことができる自動販売機を提供すること。【解決手段】本体キャビネット１の内部に断熱仕切板２により仕切られて画成された商品収容庫３と、商品収容庫３に設けられ、商品を収納すると共に、払出指令が与えられた場合に所定の商品を払い出す商品収納装置２０と、商品収納装置２０を構成する電装機器と制御ボックス１９とを接続するハーネスＨと、断熱仕切板２の所定部位に着脱可能に取り付けられ、これとの間にハーネスＨを挿通させて保護する配線カバー３０とを備えた自動販売機において、配線カバー３０は、断熱仕切板２との間にハーネスＨの幅よりも小さい間隙を形成する開放端部３３を有し、開放端部３３と断熱仕切板２との間をハーネスＨが通過する場合には、撓んでハーネスＨの進入、あるいは離脱を許容するものである。【選択図】        図４
2009294783.tif 000002
【特許請求の範囲】
【請求項１】
自動販売機本体の内部に断熱仕切部材により仕切られて画成された断熱構造を有する商品収容庫と、
前記商品収容庫に設けられ、商品を収納するとともに、払出指令が与えられた場合に所定の商品を払い出す商品収納装置と、
前記商品収納装置を構成する電装機器と、前記自動販売機本体の内部であって前記商品収容庫の外部に設けられた制御機器とを接続するハーネスと、
前記商品収容庫を画成する画成部材の所定部位に着脱可能に取り付けられ、該画成部材との間に前記ハーネスを挿通させて保護するカバー部材と
を備えた自動販売機において、
前記カバー部材は、前記画成部材との間に前記ハーネスの幅よりも小さい間隙を形成する開放端部を有し、該開放端部と前記画成部材との間を前記ハーネスが通過する場合には、撓んで前記ハーネスの進入、あるいは離脱を許容することを特徴とする自動販売機。
【請求項２】
前記断熱仕切部材には、該断熱仕切部材の表面を切り起こすことにより該表面から突出した状態で形成された係合孔を備え、
前記カバー部材は、前記断熱仕切部材の表面の面方向に沿ってスライド移動することにより、前記係合孔に係脱可能な係止片を備えたことを特徴とする請求項１に記載の自動販売機。
【発明の詳細な説明】
【技術分野】
【０００１】
本発明は、例えば缶入り飲料、瓶入り飲料、紙パック入り飲料及びペットボトル入り飲料等の各種商品を販売する自動販売機に関する。
【背景技術】
【０００２】
従来、例えば缶入り飲料、瓶入り飲料、紙パック入り飲料及びペットボトル入り飲料等の各種商品を販売する自動販売機として、前面が開口した箱状の自動販売機本体の内部に、断熱仕切板により仕切られた断熱構造を有する複数の商品収容庫が並設され、それぞれの商品収容庫には商品収納装置が設けられたものが知られている。
【０００３】
商品収納装置は、例えば蛇行状の商品収納通路を形成し、払出指令が与えられた場合に、この商品収納通路に収納された商品のうち最下段にあるものを払い出す払出機構が備えられたものである。
【０００４】
かかる商品収納装置には、上記払出機構のほかに売切検出スイッチやサーモスタット等の各種の電装機器が設けてあり、これら電装機器は、自動販売機本体の内部における機械室、すなわち自動販売機本体内部であって商品収容庫の外部に設けられた制御機器とハーネスを通じて接続されている。
【０００５】
このハーネスを保護するために、より詳細には、商品収納装置から払い出され、この商品収納装置の下方域に設けられた商品シュータを転動する商品からハーネスを保護するために、カバー部材が設けられているのが一般的である。
【０００６】
このようなカバー部材として、例えば矩形状の弾性体シートからなり、商品収容庫を画成する部材、例えば断熱仕切板の側面に剥離可能に接着され、上記ハーネスを挟み込む態様で接着して設けられたものが提案されている（例えば、特許文献１参照）。
【０００７】
【特許文献１】特開２００７−２４１７０２号公報
【発明の開示】
【発明が解決しようとする課題】
【０００８】
上述したような特許文献１に提案されている自動販売機では、弾性体シートからなるカバー部材が断熱仕切板の側面に剥離可能に接着して設けられているので、当初から断熱仕切板の側面に接着させておくことが可能で、ハーネスの取り付け工程にとらわれず、組立作業性の向上を図ることができる。
【０００９】
しかしながら、自動販売機のメンテナンス等において、カバー部材で一度挟み込んで保護しているハーネスを取り外す際には、カバー部材を剥離してハーネスを取り外す必要があるため、作業が煩雑なものとなる。特に特許文献１に提案されている自動販売機では、ハーネスを挟み込む態様でカバー部材を断熱仕切板に接着した後に、このカバー部材の一部を商品収納装置や商品シュータが覆うように配設しているため、カバー部材を剥離させるのは困難である。
【００１０】
本発明は、上記実情に鑑みて、組立時に組立順序にとらわれずにハーネスを確実に保護することができ、しかもメンテナンス時において簡単にハーネスを取り外すことができる自動販売機を提供することを目的とする。
【課題を解決するための手段】
【００１１】
上記目的を達成するために、本発明の請求項１に係る自動販売機は、自動販売機本体の内部に断熱仕切部材により仕切られて画成された断熱構造を有する商品収容庫と、前記商品収容庫に設けられ、商品を収納するとともに、払出指令が与えられた場合に所定の商品を払い出す商品収納装置と、前記商品収納装置を構成する電装機器と、前記自動販売機本体の内部であって前記商品収容庫の外部に設けられた制御機器とを接続するハーネスと、前記商品収容庫を画成する画成部材の所定部位に着脱可能に取り付けられ、該画成部材との間に前記ハーネスを挿通させて保護するカバー部材とを備えた自動販売機において、前記カバー部材は、前記画成部材との間に前記ハーネスの幅よりも小さい間隙を形成する開放端部を有し、該開放端部と前記画成部材との間を前記ハーネスが通過する場合には、撓んで前記ハーネスの進入、あるいは離脱を許容することを特徴とする。
【００１２】
また、本発明の請求項２に係る自動販売機は、上述した請求項１において、前記断熱仕切部材には、該断熱仕切部材の表面を切り起こすことにより該表面から突出した状態で形成された係合孔を備え、前記カバー部材は、前記断熱仕切部材の表面の面方向に沿ってスライド移動することにより、前記係合孔に係脱可能な係止片を備えたことを特徴とする。
【発明の効果】
【００１３】
本発明の自動販売機によれば、カバー部材が、商品収容庫を画成する画成部材の所定部位に着脱可能に取り付けられ、かつ画成部材との間にハーネスの幅よりも小さい間隙を形成する開放端部を有し、該開放端部と画成部材との間をハーネスが通過する場合には、撓んでハーネスの進入、あるいは離脱を許容するので、自動販売機の組立時において当初から画成部材に配設しておくことが可能であり、ハーネスの取り付け工程にとらわれず、組立作業を簡易なものとすることができる。また、自動販売機のメンテナンス時等においてハーネスを離脱させる際も、ハーネスを移動させれば良いだけであり、ハーネスの取り外しが簡単になる。従って、組立時に組立順序にとらわれずにハーネスを確実に保護することができ、しかもメンテナンス時において簡単にハーネスを取り外すことができるという効果を奏する。
【発明を実施するための最良の形態】
【００１４】
以下に添付図面を参照して、本発明に係る自動販売機の好適な実施の形態について詳細に説明する。
【００１５】
図１〜図３は、それぞれ本発明の実施の形態である自動販売機の構成を示したものである。ここで例示する自動販売機は、缶入り飲料やペットボトル入り飲料等の商品を販売するためのもので、自動販売機本体である本体キャビネット１を備えている。
【００１６】
本体キャビネット１は、前面が開口した直方状の断熱筐体として形成されたものである。この本体キャビネット１の内部には、断熱仕切板２により仕切られて複数（例えば３つ）の独立した商品収容庫３が左右に並ぶ態様で画成してある。これら商品収容庫３は、缶入り飲料やペットボトル入り飲料等の商品を所望の温度に維持した状態で収容するためのものである。各商品収容庫３には、それぞれの上方部に、商品投入口３ａを通じて投入された商品を収容するための商品収納装置２０が配設してある一方、商品シュータ４によって区画される下方部に、熱交換器（図示せず）が配設してあり、この熱交換器の駆動により、商品収納装置２０に収納された飲料缶やペットボトル等を所望の冷却温度、あるいは加熱温度に維持することが可能である。
【００１７】
上記自動販売機には、本体キャビネット１の一側縁部に扉体５が設けてある。扉体５は、本体キャビネット１の前面開口を開閉するためのもので、内扉５ａ、中扉５ｂ及び外扉５ｃを備えて構成してある。内扉５ａは、本体キャビネット１に設けた商品収容庫３の前面を覆うに十分な大きさを有したものである。図示の例では、内扉５ａを上下に分割し、それぞれを個別に開閉できるようにしてある。
【００１８】
中扉５ｂは、内扉５ａの前面側に配設したものである。この中扉５ｂには、その前面側上部に販売商品のサンプル（以下、商品サンプルともいう）Ｓを左右に並べて一列に載置した商品サンプルステージ６が上下方向に複数段（図示の例では３段）に並べて配設してある。また、中扉５ｂには、その前面側下部に電照板７が配設してある。
【００１９】
外扉５ｃは、本体キャビネット１の前面開口を覆うに十分な大きさを有したものである。この外扉５ｃには、その前面側にディスプレイウィンドウ８、商品選択ボタン９、硬貨投入口１０、紙幣挿入口１１、一体表示器１２、硬貨返却口１３及び商品取出口１４が設けてある。一方、外扉５ｃの後面側には、硬貨処理機１５、硬貨回収箱１６及び紙幣処理機１７が設けてある。
【００２０】
ディスプレイウィンドウ８は、中扉５ｂに配置した商品サンプルＳ（商品サンプルステージ６）及び電照板７を利用者に視認させるための窓である。商品選択ボタン９は、利用者が購入商品を選択するための押ボタンスイッチであり、ディスプレイウィンドウ８を通じて視認される商品サンプルＳ毎に用意してある。硬貨投入口１０は、利用者が硬貨を投入するための開口である。この硬貨投入口１０を通じて投入された硬貨は、硬貨処理機１５においてその金種が識別され、その後、硬貨回収箱１６に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、商品収納装置２０から払い出された商品を利用者が受け取るための開口である。
【００２１】
図４は、図１〜図３に示した商品収容庫３を模式的に示す断面側面図である。尚、この図４においては、扉体５等については省略してある。ここに例示する商品収容庫３には、複数の商品収納装置２０が設けてある。
【００２２】
商品収納装置２０は、横倒しの姿勢で投入された商品を自動販売機の商品収容庫３に収納する一方、払出指令が与えられた場合に対応する商品の払い出しを行うもので、商品収納通路２１及び払出機構２２を備えている。
【００２３】
商品収納通路２１は、左右一対の側板の間に複数の通路構成要素（図示せず）を配設することによって構成し、上下方向に沿って前後に蛇行状に延在したものである。
【００２４】
払出機構２２は、商品収納通路２１の下方側に設けてあり、オフ状態においてはストッパとして機能して商品収納通路２１に商品を蛇行状に収納させ、払出指令が与えられた場合にはオン状態になって駆動し、商品収納通路２１に収納された商品のうち最下段にあるものを払い出すものである。払い出された商品は、上記商品シュータ４を転動し、その後商品取出口１４に至る。
【００２５】
このような商品収納装置２０には、上記払出機構２２のほかに図示せぬ売切検出スイッチやサーモスタット等の各種の電装機器が設けてあり、これら電装機器は、本体キャビネット１の下部、すなわち本体キャビネット１の内部であって商品収容庫３の外部にある機械室１８に設置された制御ボックス（制御機器）１９とハーネスＨを通じて接続されている。
【００２６】
かかるハーネスＨは、図５に拡大して示すように、配線カバー（カバー部材）３０により保護されている。配線カバー３０は、商品収容庫３を画成する画成部材である断熱仕切板２の下部に設けてある。以下においては、断熱仕切板２及び配線カバー３０の構造について説明し、ハーネスＨが配線カバー３０によりどのように保護されているのかについて説明する。
【００２７】
断熱仕切板２は、例えばウレタン樹脂等の断熱材から形成され、かつ表裏両面にそれぞれ例えばポリエチレンテレフタレート（ＰＥＴ）等の表面材（図示せず）が塗布された基材２３を備え、この基材２３の下端部を覆う態様で例えば板金から形成された保護部材２４が両面テープで取り付けられて構成してある。
【００２８】
断熱仕切板２を構成する保護部材２４の所定部位、より詳細には、商品シュータ４を臨む部位（商品シュータ４と高さレベルがほぼ同じ部位）には、係合孔２４１、支持孔２４２、突起部２４３及び隆起部２４４が形成してある。係合孔２４１は、図６に示すように複数（図示の例では２つ）設けてあり、保護部材２４の表面を切り起こすことにより該表面から突出し、上方に向けて開口するものである。
【００２９】
支持孔２４２は、係合孔２４１の形成域よりも下方側に設けてあり、保護部材２４の表面を切り起こすことにより該表面から突出し、斜め上方に向けて開口するものである。突起部２４３は、２つの係合孔２４１の間に形成されており、表面から突出する態様で設けてある。隆起部２４４は、図５に示すように、係合孔２４１の形成域よりも後方側に設けてあり、上下方向に沿って延在する態様で表面から隆起して形成してある。この隆起部２４４は、詳細は後述するが、配線カバー３０との間隙の大きさを規定するものである。
【００３０】
上記配線カバー３０は、例えば板金等を屈曲加工して構成したものであり、係止片３１、ストッパ部３２及び開放端部３３を備えてなるものである。係止片３１は、複数（図示の例では２つ）設けてあり、配線カバー３０の前方側部分の一部を切り抜いて形成した舌片状の部分である。ここで、これら係止片３１の互いの離間距離は、保護部材２４の係合孔２４１の離間距離に等しいものである。
【００３１】
ストッパ部３２は、係止片３１の形成域の間に設けられ、上記突起部２４３よりも拡径な丸孔部分３２１と、この丸孔部分３２１に連続して形成され、かつ上下方向に沿って延在する長孔部分３２２とにより構成してある。この丸孔部分３２１と長孔部分３２２との境界部分３２３は、突起部２４３よりも小径となっている。
【００３２】
開放端部３３は、配線カバー３０の後方側部分であり、図５において紙面上手前側に屈曲して形成されたものである。この開放端部３３は、詳細は後述するが、配線カバー３０が設置される保護部材２４（断熱仕切板２）との間でハーネスＨの進入、あるいは離脱を許容する際にハーネスＨの通過域を形成するものである。
【００３３】
このような配線カバー３０は、次のようにして断熱仕切板２に設けてある。図６に示すように、保護部材２４（断熱仕切板２）の突起部２４３をストッパ部３２（配線カバー３０）の長孔部分３２２に進入させた状態で、配線カバー３０を下方に向けてスライド移動させる。つまり、カバー部材を断熱仕切板２の表面の面方向に沿ってスライド移動させる。これにより、図５及び図７に示すように、配線カバー３０の前縁下端部分３４が支持孔２４２の内部に進入し、係止片３１が係合孔２４１の内部に進入し、突起部２４３がストッパ部３２の境界部分３２３を超えて丸孔部分３２１に進入することにより、ストッパ部３２がストッパーとしての機能を発揮して、配線カバー３０は保護部材２４に配設されている。より詳細には、配線カバー３０は、前方側部分が係合部であり、後方側部分（開放端部３３）が自由端部として保護部材２４に配設されている。
【００３４】
一方、保護部材２４（断熱仕切板２）に配設した配線カバー３０を上方に向けてスライド移動させることにより、突起部２４３がストッパ部３２の境界部分３２３を超えて長孔部分３２２に進入し、係止片３１は係合孔２４１からそれぞれ離脱し、上記前縁下端部が支持孔２４２から離脱し、これにより配線カバー３０を保護部材２４から取り外すことができる。つまり、配線カバー３０は、保護部材２４（断熱仕切板２）に着脱可能に配設されている。
【００３５】
図８は、図５におけるＸ−Ｘ線断面図である。この図８に示すように、配線カバー３０は、開放端部３３が保護部材２４の隆起部２４４に対向して配設してある。ここで、開放端部３３と隆起部２４４との離間距離ｈは、ハーネスＨの最小幅よりも僅かに小さいものとなっている。つまり、配線カバー３０は、保護部材２４（断熱仕切板２）との間にハーネスＨの幅よりも小さい間隙を形成する開放端部３３を有していることになる。
【００３６】
また、図５に示すように、隆起部２４４の上下方向に沿って延在する延在長さは、開放端部３３の上下方向の長さよりも短いものとしてある。
【００３７】
そして、図８の矢印で示すように、ハーネスＨを前方に向けて移動させると、ハーネスＨは、開放端部３３と隆起部２４４との間に進入しようとする。このようにハーネスＨが開放端部３３と隆起部２４４との間に進入しようとすると、開放端部３３は、保護部材２４の表面から離れる方向（図８中の矢印ａで示す方向）に変位し、該開放端部３３と隆起部２４４との間をハーネスＨが通過することを許容する。この結果、ハーネスＨは、配線カバー３０と保護部材２４との間に進入し、図５に示すように、配線カバー３０が商品シュータ４を転動する商品等からハーネスＨを保護することが可能になる。
【００３８】
また、配線カバー３０の前縁下端部分３４が保護部材２４の支持孔２４２に進入しているので、ハーネスＨが進入する際に、配線カバー３０が浮き上がる、すなわち保護部材２４から離れる方向に移動してしまうことを防止することができる。
【００３９】
配線カバー３０と保護部材２４との間で上下方向に沿って挿通する態様で延在するハーネスＨを取り外す場合には、ハーネスＨを後方に向けて移動させる。これにより、ハーネスＨは、図８の矢印で示すように開放端部３３と隆起部２４４との間に進入しようとする。このようにハーネスＨが開放端部３３と隆起部２４４との間に進入しようとすると、開放端部３３は、図８中の矢印ａで示す方向に変位し、該開放端部３３と隆起部２４４との間をハーネスＨが通過することを許容する。この結果、ハーネスＨは、配線カバー３０と保護部材２４との間にから離脱し、取り外すことが可能になる。
【００４０】
このように配線カバー３０は、断熱仕切板２との間にハーネスＨの幅よりも小さい間隙を形成する開放端部３３を有し、該開放端部３３と断熱仕切板２との間をハーネスＨが通過する場合には、撓んでハーネスＨの進入、あるいは離脱を許容している。
【００４１】
以上説明したように、本発明の実施の形態である自動販売機によれば、配線カバー３０が、断熱仕切板２の所定部位に着脱可能に取り付けてあり、かつ断熱仕切板２との間にハーネスＨの幅よりも小さい間隙を形成する開放端部３３を有し、該開放端部３３と断熱仕切板２との間をハーネスＨが通過する場合には、撓んでハーネスＨの進入、あるいは離脱を許容するので、自動販売機の組立時において当初から断熱仕切板２に配設しておくことが可能であり、ハーネスＨの取り付け工程にとらわれず、組立作業を簡易なものとすることができる。また、自動販売機のメンテナンス時等においてハーネスＨを離脱させる際も、ハーネスＨを後方側に向けて移動させれば良いだけであり、ハーネスＨの取り外しが簡単になる。従って、組立時に組立順序にとらわれずにハーネスＨを確実に保護することができ、しかもメンテナンス時において簡単にハーネスＨを取り外すことができる。
【００４２】
また、上記自動販売機によれば、隆起部２４４を開放端部３３と対向する位置に形成していることにより、配線カバー３０と保護部材２４との間を挿通する態様で延在するハーネスＨが自然に離脱する虞れがない。
【００４３】
更に、上記自動販売機によれば、隆起部２４４の上下方向の長さは、対向する開放端部３３の上下方向の長さよりも短いものとしてあるので、ハーネスＨを進入させることが比較的容易になる。
【００４４】
以上、本発明の好適な実施の形態について説明したが、本発明はこれに限定されず、種々の変更を行うことができる。例えば、上述した実施の形態では、配線カバー３０は、商品収容庫３の画成部材として断熱仕切板２（保護部材２４）に設けてあったが、本発明では、断熱仕切板２に限られず、商品収容庫３を画成する画成部材であれば、どのようなものでも良い。具体的には、自動販売機本体の内側部に配設された断熱ボードであっても構わない。
【００４５】
また、上述した実施の形態では、配線カバー３０は、前方側部分が係合部、後方側部分が開放端部３３であったが、本発明では、前方側部分が開放端部３３、後方側部分が係合部であっても構わないし、また上方側部分が係合部、下方側部分が開放端部３３であっても構わない。
【００４６】
また、上述した実施の形態では、配線カバー３０は、例えば板金等を屈曲加工して構成したものであったが、本発明は、カバー部材の材質は特に限定するものではなく、樹脂材のようなもので構成したものであっても構わない。
【００４７】
また、上述した実施の形態では、隆起部２４４と開放端部３３とにより断熱仕切板２と、配線カバー３０との離間距離ｈが規定されていたが、本発明では、隆起部は必ずしも必要なものでなく、断熱仕切部材とカバー部材の開放端部との離間距離がハーネスの幅よりも僅かに小さければ良い。
【産業上の利用可能性】
【００４８】
以上のように、本発明に係る自動販売機は、例えば缶入り飲料、瓶入り飲料、紙パック入り飲料及びペットボトル入り飲料等の各種商品を冷却した状態、あるいは加温した状態で販売に有用である。
【図面の簡単な説明】
【００４９】
【図１】本発明の実施の形態に係る商品収納装置が適用された自動販売機を示した正面図である。
【図２】図１に示した自動販売機において外扉を開成した状態を示す斜視図である。
【図３】図１に示した自動販売機において扉体を開成した状態を示す斜視図である。
【図４】図１〜図３に示した商品収容庫を模式的に示す断面側面図である。
【図５】図４に示した一部を拡大して示す拡大側面図である。
【図６】配線カバーの取付手順を模式的に示す斜視図である。
【図７】配線カバーの取付手順を模式的に示す斜視図である。
【図８】図５におけるＸ−Ｘ線断面図である。
【符号の説明】
【００５０】
１    本体キャビネット
２    断熱仕切板
３    商品収容庫
１９    制御ボックス
２０    商品収納装置
２２    払出機構
２４    保護部材
２４１    係合孔
２４２    支持孔
２４３    突起部
２４４    隆起部
３０    配線カバー
３１    係止片
３２    ストッパ部
３２１    丸孔部分
３２２    長孔部分
３２３    境界部分
３３    開放端部
Ｈ    ハーネス
【図１】
2009294783.tif 000003
【図２】
2009294783.tif 000004
【図３】
2009294783.tif 000005
【図４】
2009294783.tif 000006
【図５】
2009294783.tif 000007
【図６】
2009294783.tif 000008
【図７】
2009294783.tif 000009
【図８】
2009294783.tif 000010